(57)【要約】【課題】光学部品の数の増加を抑制しつつ、結像性能を向上させることができる画像読取装置を提供する。【解決手段】  画像読取装置１０は、光源２０と、受光部４０と、被読取体から反射された光を受光部４０に受光させるための光学系３０と、を備え、受光部４０は、複数の受光素子４１を含み、光学系３０は、被読取体から反射された光を分割して複数の受光素子４１の各々に導くための複数の光学部品を含み、複数の光学部品は、被読取体から反射された光を主方向に対応する方向に分割する分割部品と、光路において分割部品の下流側に配置された共有部が設けられた共有部品と、を含み、共有部は、分割部品によって分割された光に対して共通した作用を生じさせる光学作用面を有し、主方向に対応する方向に直交する光学作用面の断面形状は、主方向に対応する方向に沿って同一形状である。【選択図】図２
2018152713.tif 000002
【特許請求の範囲】
【請求項１】
主方向に亘って被読取体に向けて光を出射する光源と、
被読取体から反射された光を受光する受光部と、
被読取体から反射された光を前記受光部に受光させるための光学系と、を備え、
前記受光部は、前記主方向に対応する方向に沿って複数並んで配置されるとともに、前記主方向に直交する副方向に対応する方向に沿って複数並んで配置される複数の受光素子を含み、
前記光学系は、被読取体から反射された光を前記複数の受光素子の各々に導くための複数の光学部品を含み、
前記複数の光学部品は、被読取体から反射された光を前記主方向に対応する方向に分割する分割部品と、被読取体から反射された光が前記受光部に向かう光路において前記分割部品の下流側に配置された共有部が設けられた共有部品と、を含み、
前記共有部は、前記分割部品によって分割された光の各々に対して共通した作用を生じさせる光学作用面を有し、
前記主方向に対応する方向に直交する前記光学作用面の断面形状は、前記主方向に対応する方向に沿って同一形状である、画像読取装置。
【請求項２】
前記複数の受光素子は、前記副方向に対応する方向に２列に配置され、
前記副方向に対応する方向における第１列に配置される前記受光素子と前記副方向に対応する方向における第２列に配置される前記受光素子とは、前記主方向に対応する方向において、交互に配置されている、請求項１に記載の画像読取装置。
【請求項３】
前記分割部品は、前記主方向に対応する方向に沿って並んで配置された複数のレンズミラー部を有するレンズミラーアレイである、請求項１または２に記載の画像読取装置。
【請求項４】
前記複数の光学部品は、被読取体から反射された光が前記受光部に向かう光路において、前記分割部品の上流側に配置された上流側反射ミラーを含み、
前記光学系は、被読取体から反射された光が前記上流側反射ミラーによって反射された後に前記分割部品に入射されるように構成されている、請求項３に記載の画像読取装置。
【請求項５】
前記複数の光学部品は、被読取体から反射された光が前記受光部に向かう光路において、前記分割部品の下流側に配置された下流側反射ミラーを含み、
前記光学系は、被読取体から反射された光が前記分割部品によって分割された後に前記下流側反射ミラーに入射されるように構成されている、請求項３に記載の画像読取装置。
【請求項６】
前記複数の光学部品は、被読取体から反射された光が前記受光部に向かう光路に沿って前記分割部品に次いで配置される第１下流側反射ミラーを含み、
前記複数のレンズミラー部の各々が有する反射面は、前記第１下流側反射ミラーが位置する側を向いている、請求項３から５のいずれか１項に記載の画像読取装置。
【請求項７】
前記共有部品は、共有反射ミラーであり、
前記共有反射ミラーは、被読取体から反射された光が前記受光部に向かう光路において前記分割部品の下流側に配置された下流側反射面を有し、
前記光学作用面は、前記下流側反射面によって構成されている、請求項１から６のいずれか１項に記載の画像読取装置。
【請求項８】
前記光学作用面は、被読取体から反射された光が前記受光部に向かう光路において順に配置される第１作用面および第２作用面を有し、
前記第１作用面および前記第２作用面は、前記下流側反射面上に設けられている、請求項７に記載の画像読取装置。
【請求項９】
前記共有反射ミラーは、被読取体から反射された光が前記受光部に向かう光路において前記分割部品の上流側に配置された上流側反射面を有し、
前記上流側反射面および前記下流側反射面は、互いに相対するように配置されており、
前記光学系は、被読取体から反射された光が前記上流側反射面に反射された後に前記下流側反射面に入射するように構成されている、請求項８に記載の画像読取装置。
【請求項１０】
前記複数の光学部品は、被読取体から反射された光が前記受光部に向かう光路において前記分割部品の下流側に配置され、前記分割部品によって分割された光を絞る反射ミラーを含む、請求項７から９のいずれか１項に記載の画像読取装置。
【請求項１１】
前記複数の光学部品は、被読取体から反射された光を副方向に対応する方向に配光する配光部品を含み、
前記配光部品は、被読取体から反射された光が前記受光部に向かう光路において前記受光部の直前に配置されている、請求項１から７のいずれか１項に記載の画像読取装置。
【請求項１２】
前記複数の光学部品は、第１反射ミラーおよび第２反射ミラーと、前記主方向に対応する方向に沿って並んで配置された複数のレンズミラー部をそれぞれ有する第１レンズミラーアレイおよび第２レンズミラーアレイと、被読取体から反射された光を絞る絞り部とを含み、
前記分割部品は、前記第１レンズミラーアレイであり、
前記第１反射ミラーは、前記第１レンズミラーアレイから反射された光を前記第２反射ミラーに向けて反射し、
前記第２反射ミラーは、前記第１反射ミラーによって反射された光を前記第２レンズミラーアレイに向けて反射し、
前記絞り部は、被読取体から反射された光が前記受光部に向かう光路において前記第１反射ミラーと前記第２反射ミラーとの間に配置されている、請求項１または２に記載の画像読取装置。
【請求項１３】
前記第１レンズミラーアレイ、前記第２レンズミラーアレイおよび前記絞り部は、一体化されている、請求項１２に記載の画像読取装置。
【請求項１４】
前記複数の受光素子は、同一平面上に位置する、請求項１から１３のいずれか１項に記載の画像読取装置。
【請求項１５】
前記複数の受光素子は、被読取体に対して同じ側に位置する、請求項１３に記載の画像読取装置。
【請求項１６】
前記光学系は、被読取体から反射された光を前記副方向に対応する方向に複数列に配光し、前記複数列に配光された光の光路長が互いに異なるように構成されている、請求項１から１５のいずれかに記載の画像読取装置。
【発明の詳細な説明】
【技術分野】
【０００１】
本発明は、画像読取装置に関する。
【背景技術】
【０００２】
従来、ラインセンサによって原稿を読み取るスキャナは大きく分類してＣＣＤタイプ（縮小光学系）とＣＩＳタイプ（等倍光学系）の２種類がある。縮小光学系は、焦点深度は深いが小型化は困難であり、等倍光学系は小型化が可能だが焦点深度が浅い。
【０００３】
そのためフラットベッドスキャナとしては主にＣＣＤタイプが主流であり、原稿を搬送するＡＤＦ読み取りにはＣＩＳタイプが使われることが多い。原稿の表裏（フラットベッドとＡＤＦ）の画質差をなくすためにはCISタイプ並みの小型化が可能で、ＣＣＤタイプ並みの焦点深度を有する読み取りモジュールが必要である。
【０００４】
その方法として、たとえば、特開２００９−１４１６８１号公報（特許文献１）に開示のように、主方向に光路を分割し、主方向にアレイ状に並べたレンズで受光素子に結像させる分割光学系を用いる方法がある。この方法においては、画像側に略テレセントリックな光学系を用い、深度の深い小型ユニットを実現している。
【０００５】
しかしながら、このような分割光学系において受光素子側の誤差感度を下げるために等倍光学系を用いると、隣り合う光路に光線が入ってしまい、分割部の境界で画像が重なってしまうという課題がある。
【０００６】
その課題を解決するために、特開２００９−２７３０００号公報（特許文献２）では、センサを千鳥状に２列に配置し、第１平面ミラーで光路を左右２方向に分けた２種類の光路を主方向に交互に使い、画像の重複を無くしている。
【先行技術文献】
【特許文献】
【０００７】
【特許文献１】特開２００９−１４１６８１号公報
【特許文献２】特開２００９−２７３０００号公報
【発明の概要】
【発明が解決しようとする課題】
【０００８】
しかし、特許文献２に開示の画像読取装置にあっては、分割されたそれぞれの光路に対してそれぞれの反射ミラー、レンズミラー、センサ基板が必要となる。このため、光学部品の数が増加する。部品数が多くなれば誤差やばらつきが生じる部分が多くなる。この結果、光学部品の調整が複雑化し、結像性能が劣化する。
【０００９】
本発明は、上記のような問題に鑑みてなされたものであり、本発明の目的は、光学部品の数の増加を抑制しつつ、結像性能を向上させることができる画像読取装置を提供することにある。
【課題を解決するための手段】
【００１０】
本発明に基づく画像読取装置は、主方向に亘って被読取体に向けて光を出射する光源と、被読取体から反射された光を受光する受光部と、被読取体から反射された光を上記受光部に受光させるための光学系と、を備える。上記受光部は、上記主方向に対応する方向に沿って複数並んで配置されるとともに、上記主方向に直交する副方向に対応する方向に沿って複数並んで配置される複数の受光素子を含み、上記光学系は、被読取体から反射された光を上記複数の受光素子の各々に導くための複数の光学部品を含む。上記複数の光学部品は、被読取体から反射された光を上記主方向に対応する方向に分割する分割部品と、被読取体から反射された光が上記受光部に向かう光路において上記分割部品の下流側に配置された共有部が設けられた共有部品と、を含み、上記共有部は、上記分割部品によって分割された光の各々に対して共通した作用を生じさせる光学作用面を有し、上記主方向に対応する方向に直交する上記光学作用面の断面形状は、上記主方向に対応する方向に沿って同一形状である。
【００１１】
上記本発明に基づく画像読取装置にあっては、上記複数の受光素子は、上記副方向に２列に千鳥状に配置されていてもよい。
【００１２】
上記本発明に基づく画像読取装置にあっては、上記分割部品は、上記主方向に対応する方向に沿って並んで配置された複数のレンズミラー部を有するレンズミラーアレイであることが好ましい。
【００１３】
上記本発明に基づく画像読取装置にあっては、上記複数の光学部品は、被読取体から反射された光が上記受光部に向かう光路において、上記分割部品の上流側に配置された上流側反射ミラーを含んでいてもよい。この場合には、上記光学系は、被読取体から反射された光が上記上流側反射ミラーによって反射された後に上記分割部品に入射されるように構成されていることが好ましい。
【００１４】
上記本発明に基づく画像読取装置にあっては、上記複数の光学部品は、被読取体から反射された光が上記受光部に向かう光路において、上記分割部品の下流側に配置された下流側反射ミラーを含んでいてもよい。この場合には、上記光学系は、被読取体から反射された光が上記分割部品によって分割された後に上記下流側反射ミラーに入射されるように構成されていてもよい。
【００１５】
上記本発明に基づく画像読取装置にあっては、上記複数の光学部品は、被読取体から反射された光が上記受光部に向かう光路に沿って上記分割部品に次いで配置される第１下流側反射ミラーを含んでいてもよい。この場合には、上記複数のレンズミラー部の各々が有する反射面は、上記第１下流側反射ミラーが位置する側を向いていることが好ましい。
【００１６】
上記本発明に基づく画像読取装置にあっては、上記共有部品は、共有反射ミラーであることが好ましい。この場合には、上記共有反射ミラーは、被読取体から反射された光が上記受光部に向かう光路において上記分割部品の下流側に配置された下流側反射面を有することが好ましい。さらに、上記光学作用面は、上記下流側反射面によって構成されていることが好ましい。
【００１７】
上記本発明に基づく画像読取装置にあっては、上記光学作用面は、被読取体から反射された光が上記受光部に向かう光路において順に配置される第１作用面および第２作用面を有していてもよい。上記第１作用面および上記第２作用面は、上記下流側反射面上に設けられていてもよい。
【００１８】
上記本発明に基づく画像読取装置にあっては、上記共有反射ミラーは、被読取体から反射された光が上記受光部に向かう光路において上記分割部品の上流側に配置された上流側反射面を有していてもよい。この場合には、上記上流側反射面および上記下流側反射面は、互いに相対するように配置されていることが好ましい。さらに、上記光学系は、被読取体から反射された光が上記上流側反射面に反射された後に上記下流側反射面に入射するように構成されていることが好ましい。
【００１９】
上記本発明に基づく画像読取装置にあっては、上記複数の光学部品は、被読取体から反射された光が上記受光部に向かう光路において上記分割部品の下流側に配置され、上記分割部品によって分割された光を絞る反射ミラーを含んでいてもよい。
【００２０】
上記本発明に基づく画像読取装置にあっては、上記複数の光学部品は、被読取体から反射された光を副方向に対応する方向に配光する配光部品を含んでいることが好ましい。上記配光部品は、被読取体から反射された光が上記受光部に向かう光路において上記受光部の直前に配置されていてもよい。
【００２１】
上記本発明に基づく画像読取装置にあっては、上記複数の光学部品は、第１反射ミラーおよび第２反射ミラーと、上記主方向に対応する方向に沿って並んで配置された複数のレンズミラー部をそれぞれ有する第１レンズミラーアレイおよび第２レンズミラーアレイと、被読取体から反射された光を絞る絞り部とを含んでいてもよい。この場合には、上記分割部品は、上記第１レンズミラーアレイであることが好ましく、上記第１反射ミラーは、上記第１レンズミラーアレイから反射された光を上記第２反射ミラーに向けて反射し、上記第２反射ミラーは、上記第１反射ミラーによって反射された光を上記第２レンズミラーアレイに向けて反射することが好ましい。さらに、上記絞り部は、被読取体から反射された光が上記受光部に向かう光路において上記第１反射ミラーと上記第２反射ミラーとの間に配置されていることが好ましい。
【００２２】
上記本発明に基づく画像読取装置にあっては、上記第１レンズミラーアレイ、上記第２レンズミラーアレイおよび上記絞り部は、一体化されていることが好ましい。
【００２３】
上記本発明に基づく画像読取装置にあっては、上記複数の受光素子は、同一平面上に位置することが好ましい。
【００２４】
上記本発明に基づく画像読取装置にあっては、上記複数の受光素子は、被読取体に対して同じ側に位置することが好ましい。
【００２５】
上記本発明に基づく画像読取装置にあっては、上記光学系は、被読取体から反射された光を上記副方向に対応する方向に複数列に配光することが好ましく、上記複数列に配光された光の光路長が、互いに異なることが好ましい。
【発明の効果】
【００２６】
本発明によれば、光学部品の数の増加を抑制しつつ、結像性能を向上させることができる画像読取装置を提供することができる。
【図面の簡単な説明】
【００２７】
【図１】実施の形態１に係る画像読取装置の概略断面図である。
【図２】実施の形態１に係る画像読取装置の概略斜視図である。
【図３】実施の形態１に係る画像読取装置に含まれる光学素子の第１面側を示す斜視図である。
【図４】実施の形態１に係る画像読取装置に含まれる光学素子の第２面側を示す斜視図である。
【図５】実施の形態２に係る画像読取装置の概略断面図である。
【図６】実施の形態２に係る画像読取装置に含まれる光学素子の第１面側を示す斜視図である。
【図７】実施の形態３に係る画像読取装置の概略断面図である。
【図８】実施の形態４に係る画像読取装置の概略断面図である。
【図９】実施の形態５に係る画像読取装置の概略断面図である。
【図１０】変形例１に係るレンズミラーの概略断面図である。
【図１１】変形例２に係る絞り部の正面図である。
【発明を実施するための形態】
【００２８】
以下、本発明の実施の形態について、図を参照して詳細に説明する。なお、以下に示す実施の形態においては、同一のまたは共通する部分について図中同一の符号を付し、その説明は繰り返さない。
【００２９】
（実施の形態１）
図１は、実施の形態１に係る画像読取装置の概略断面図である。図２は、実施の形態１に係る画像読取装置の概略斜視図である。図１および図２を参照して、実施の形態１に係る画像読取装置１０について説明する。
【００３０】
図１および図２に示すように、画像読取装置１０は、プラテンガラス１上に載置された被読取体としての原稿２に対して、光源２０から光を出射し、原稿からの反射光を受光部４０により光電変換して画像を読み取る。画像読取装置１０は、光源２０と、光学系３０と、受光部４０と、筐体６０とを備える。筐体６０は、内部に光源２０と、光学系３０と、受光部４０とを収容する。
【００３１】
光源２０は、主方向（図１中における紙面垂直方向）に亘って被読取体に光を出射する。光源２０としては、たとえば、ＬＥＤ等を用いた照明ユニットを採用することができる。
【００３２】
受光部４０は、原稿２から反射された光を受光する。受光部４０は、受光した光を光電変換する。受光部４０は、主方向に対応する方向に沿って複数並んで配置されるとともに、上記主方向に直交する副方向に対応する方向に沿って複数並んで配置される複数の受光素子４１を含む。
【００３３】
複数の受光素子４１は、たとえば、副方向に２列に千鳥状に配置されている。具体的には、複数の受光素子４１は、副方向に対応する方向に２列に配置されており、副方向に対応する方向における第１列に配置される受光素子４１と副方向に対応する方向における第２列に配置される受光素子４１とは、主方向に対応する方向において、交互に配置されている。
【００３４】
複数の受光素子４１は、同一平面上に位置する。複数の受光素子４１は、回路基板４２に搭載されている。複数の受光素子４１は、原稿２に対して同じ側に位置する。複数の受光素子４１は、原稿２よりも下方側に位置する。
【００３５】
受光素子４１としては、半導体センサ等の撮像素子を用いることができる。回路基板４２には、光電変換された信号を処理する信号処理回路等が設けられている。
【００３６】
光学系３０は、原稿２から反射された光を前記受光部に受光させるためものである。光学系３０は、原稿２から反射された光を複数の受光素子４１の各々に導くための複数の光学部品を含む。
【００３７】
複数の光学部品は、複数の反射ミラー３１０、３２０、３４０、および光学素子３３０を含む。複数の反射ミラー３１０、３２０、３４０は、主方向に対応する方向に延在している。複数の反射ミラー３１０、３２０、３４０としては、たとえば、平面反射ミラーを採用することができる。
【００３８】
光学素子３３０は、第１レンズミラーアレイ３３２、絞り部３３４、および第２レンズミラーアレイ３３６を含む。第１レンズミラーアレイ３３２、絞り部３３４、および第２レンズミラーアレイ３３６は、一体化されている。第１レンズミラーアレイ３３２、絞り部３３４、および第２レンズミラーアレイ３３６は、たとえば射出成形によって一体に成形される。
【００３９】
複数の反射ミラー３１０、３２０、３４０、および光学素子３３０は、原稿２から反射される光が受光部４０に向かう光路において、反射ミラー３１０、第１レンズミラーアレイ３３２、反射ミラー３２０、絞り部３３４、反射ミラー３４０、および第２レンズミラーアレイ３３６の順に並ぶように、配置される。
【００４０】
図３は、実施の形態１に係る画像読取装置に含まれる光学素子の第１面側を示す斜視図である。図４は、実施の形態１に係る画像読取装置に含まれる光学素子の第２面側を示す斜視図である。
【００４１】
図３および図４に示すように、光学素子３３０は、互いに相対する第１面３３１ａおよび第２面３３１ｂを有する基板３３１を含む。第１面３３１ａ側に、第１レンズミラーアレイ３３２が設けられており、第２面３３１ｂ側に、第２レンズミラーアレイ３３６が設けられている。
【００４２】
第１レンズミラーアレイ３３２および第２レンズミラーアレイ３３６は、副方向に対応する方向に並んでいる。具体的には、第１レンズミラーアレイ３３２および第２レンズミラーアレイ３３６は、上下方向に並んで配置されている。第１レンズミラーアレイ３３２は、第２レンズミラーアレイ３３６よりも下方に位置する。
【００４３】
第１レンズミラーアレイ３３２は、主方向に対応する方向に沿って並んで配置された複数のレンズミラー部３３３をそれぞれ有する。複数のレンズミラー部３３３は、それぞれ略同一の湾曲反射面を有する。複数のレンズミラー部３３３の各々は、一体化されている。
【００４４】
複数のレンズミラー部３３３は、主方向に沿って並ぶ複数の受光素子４１の数に応じて区画されている。複数のレンズミラー部３３３は、入射された光を縮小しならが反射する。これにより、第１レンズミラーアレイ３３２に入射された光は、主方向に対応する方向に沿って分割される。このように、第１レンズミラーアレイ３３２は、原稿２から反射された光を主方向に対応する方向に分割する分割部品に相当する。
【００４５】
絞り部３３４は、第１レンズミラーアレイ３３２および第２レンズミラーアレイ３３６が並ぶ方向において、第１レンズミラーアレイ３３２と第２レンズミラーアレイ３３６との間に配置されている。
【００４６】
絞り部３３４は、複数の開口部３３５を有する。複数の開口部３３５は、主方向に対応する方向に沿って並んで配置されている。複数の開口部３３５は、複数のレンズミラー部３３３の個数に応じて設けられている。複数の開口部３３５は、通過する光を絞る。複数の開口部３３５の各々は、主方向に対応する方向および副方向に対応する方向の双方向において光を絞る。
【００４７】
第２レンズミラーアレイ３３６は、主方向に対応する方向に沿って並んで配置された複数のレンズミラー部３３７ａ、３３７ｂを含む。複数のレンズミラー部３３７ａおよび複数のレンズミラー部３３７ｂは、主方向に対応する方向に沿って交互に並んで配置されている。
【００４８】
レンズミラー部３３７ａが有する湾曲反射面の俯仰角は、レンズミラー部３３７ｂが有する湾曲反射面の俯仰角と、副方向に対応する方向において異なる。これにより、第２レンズミラーアレイ３３６に入射された光は、副方向に対応する方向に配分される。
【００４９】
レンズミラー部３３７ａ，３３７ｂが有する湾曲反射面の俯仰角は、適宜設定することができる。これらの俯仰角の角度差を小さくする場合には、副方向に対応する方向に配分される光の間隔を小さくすることができる。これにより、回路基板４２のサイズを小さくし、１枚の回路基板４２上に複数の受光素子４１を配置することができる。
【００５０】
再び図１および図２に示すように、反射ミラー３１０は、原稿２から反射射された光が受光部４０に向かう光路において、第１レンズミラーアレイ３３２の上流側に配置されている。反射ミラー３１０は、上流側反射ミラーに相当する。反射ミラー３１０は、原稿２から反射された光を第１レンズミラーアレイ３３２に向けて反射する。
【００５１】
第１レンズミラーアレイ３３２に含まれる複数のレンズミラー部３３３の各々が有する反射面は、反射ミラー３２０が位置する側を向いている。より具体的には、反射ミラー３１０の反射面および反射ミラー３２０の反射面を向いている。
【００５２】
第１レンズミラーアレイ３３２は、分割部品として機能し、入射された光を主方向に対応する方向に沿って分割して、反射ミラー３２０に向けて反射する。
【００５３】
反射ミラー３２０は、原稿２から反射された光が受光部４０に向かう光路に沿って第１レンズミラーアレイ３３２に次いで配置されている。反射ミラー３２０は、第１下流側反射ミラーに相当するとともに、第１反射ミラーに相当する。
【００５４】
また、反射ミラー３２０の反射面は、被読取体から反射された光が受光部に向かう光路において分割部品としての第１レンズミラーアレイの下流側に配置された共有部に相当し、第１レンズミラーアレイ３３２によって分割された光の各々に対して共通の作用を生じさせる光学作用面として機能する。反射ミラー３２０の反射面は、平坦に構成されており、主方向に対応する方向に沿って同一形状を有する。
【００５５】
反射ミラー３２０は、第１レンズミラーアレイ３３２によって分割された光の各々を反射ミラー３４０に向けて反射する。
【００５６】
原稿２から反射された光が受光部４０に向かう光路において、反射ミラー３２０と反射ミラー３４０との間には、絞り部３３４が配置されている。反射ミラー３２０によって反射された光は、絞り部３３４に設けられた開口部３３５を通過して、反射ミラー３４０に入射する。この際、第１レンズミラーアレイ３３２によって分割された光の各々が、複数の開口部３３５によってそれぞれ絞られる。
【００５７】
反射ミラー３４０は、反射ミラー３２０によって反射された光を第２レンズミラーアレイ３３６に向けて反射する。反射ミラー３４０は、第２反射ミラーに相当する。
【００５８】
また、反射ミラー３４０の反射面も、原稿２から反射された光が受光部４０に向かう光路において分割部品としての第１レンズミラーアレイ３３２の下流側に配置された共有部として機能する。反射ミラー３４０の反射面は、第１レンズミラーアレイ３３２によって分割された光の各々に対して共通の作用を生じさせる光学作用面として機能する。反射ミラー３４０の反射面は、平坦に構成されており、主方向に対応する方向に沿って同一形状を有する。
【００５９】
第２レンズミラーアレイ３３６は、原稿２から反射された光が受光部４０に向かう光路において受光部４０の直前に配置されている。第２レンズミラーアレイ３３６は、反射された光を副方向に対応する方向に配向する配向部品として機能する。
【００６０】
第２レンズミラーアレイ３３６は、副方向に対応する方向に対して互いに俯仰角の異なるレンズミラー部３３７ａおよび３３７ｂを有する。これにより、第２レンズミラーアレイ３３６は、原稿２から反射された光を副方向に対応する方向に複数列に配光する。
【００６１】
具体的には、第２レンズミラーアレイ３３６は、第１レンズミラーアレイ３３２によって分割された光の各々を主方向に対応する方向に沿って交互に、副方向に対応する方向における第１列および第２列に向かように配光する。第２レンズミラーアレイ３３６によって配分された光の各々は、複数の受光部４０によって受光される。
【００６２】
以上のように、実施の形態１に係る画像読取装置１０にあっては、原稿２から反射された光を主方向に分割する第１レンズミラーアレイ３３２の下流側に反射ミラー３２０，３４０が配置される。主方向に対応する方向に直交する反射ミラー３２０，３４０の反射面の断面形状が、主方向に対応する方向に沿って同一形状を有することにより、第１レンズミラーアレイ３３２によって分割された光の各々に対して反射という共通した光学作用を生じさせることができる。
【００６３】
これにより、分割された光の各々に対してそれぞれ対応するように複数の反射ミラーを設ける構成と比較して、光学系３０を構成する光学部品が増加することを抑制することができる。
【００６４】
また、光学作用面としての反射面の上記断面形状が、主方向に対応する方向に沿って同一形状であるため、分割された光のすべてに跨るように反射ミラー３２０、３４０を配置し設置角を設定することで容易に光学部品の調整を行なうことができる。
【００６５】
これにより、分割された光の各々に対してそれぞれ対応するように複数の反射ミラーを設けて調整する場合と比較して設置角のバラツキ等を抑制することができ、この結果、結像性能を向上させることができる。
【００６６】
以上のように、実施の形態１に係る画像読取装置１０においては、光学部品の数の増加を抑制しつつ、結像性能を向上させることができる画像読取装置を提供することができる。
【００６７】
また、第１レンズミラーアレイ３３２は、同一形状の複数のレンズミラー部３３３が一体化されて構成されている。このため、実施の形態１の構成は、複数のレンズミラーを独立して設置する構成と比較して、位置決め等光学部品の調整を容易に行なうことができるとともに、設置バラツキ等を抑制することができる。
【００６８】
また、複数のレンズミラー部３３３が一体化されることにより、製造工程において反射面を形成するために蒸着処理を行なう際に、１回の蒸着処理で各レンズミラー部３３３の反射面を形成することができる。
【００６９】
第２レンズミラーアレイ３３６においては、俯仰角の異なる２種類のレンズミラー部３３７ａ，３３７ｂを交互に配置するものであるが、高さ方向（上下方向）においてほぼ同じ高さ位置に配置することができる。これにより、複数のレンズミラー部３３７ａ，３３７ｂを一体化することができる。
【００７０】
このため、実施の形態１の構成は、複数のレンズミラーを独立して設置する構成と比較して、位置決め等光学部品の調整を容易に行なうことができるとともに、設置バラツキ等を抑制することができる。
【００７１】
また、レンズミラー部３３７ａ，３３７ｂの俯仰角の角度差は小さい状態で複数のレンズミラー部３３７ａ，３３７ｂが一体化されることにより、製造工程において反射面を形成するために蒸着処理を行なう際に、１回の蒸着処理で各レンズミラー部３３７ａ，３３７ｂの反射面を形成することができる。
【００７２】
また、レンズミラー部３３７ａ，３３７ｂの俯仰角の角度差が小さくすることにより、副方向に対応する方向に配分される光の間隔を小さくすることができる。これにより、回路基板４２のサイズを小さくし、１枚の回路基板４２上に複数の受光素子４１を配置することができる。この結果、受光素子４１の調整も容易に行なうことができる。
【００７３】
加えて、第１レンズミラーアレイ３３２、第２レンズミラーアレイ３３６、および絞り部３３４が一体化されることにより、分割光学系において重要な光学部品である第１レンズミラーアレイ３３２と絞り部３３４の位置関係、および第２レンズミラーアレイ３３６と絞り部３３４の位置関係を、光学素子３３０の部品精度で決定することができる。これにより、複数の画像読取装置１０を製造する際に、装置毎における組立バラツキを抑制することができる。
【００７４】
（実施の形態２）
図５は、実施の形態２に係る画像読取装置の概略断面図である。図５を参照して、実施の形態２に係る画像読取装置１０Ａについて説明する。
【００７５】
図５に示すように、実施の形態２に係る画像読取装置１０Ａは、実施の形態１に係る画像読取装置１０と比較した場合に、光学系３０Ａの構成が相違する。その他の構成については、ほぼ同様である。
【００７６】
光学系３０Ａは、原稿２からから反射された光を副方向に対応する方向に複数列に配光し、複数列に配光された光の光路長が互いに異なるように構成されている。光学系３０Ａは、実施の形態１に係る光学系３０と比較した場合に、光学素子３３０Ａの構成が相違する。その他の構成についてはほぼ同様である。
【００７７】
図６は、実施の形態２に係る画像読取装置に含まれる光学素子の一方側を示す斜視図である。図６を参照して、実施の形態２に係る画像読取装置１０Ａに含まれる光学素子３３０Ａについて説明する。
【００７８】
光学素子３３０Ａは、第１レンズミラーアレイ３３２Ａ、絞り部３３４および第２レンズミラーアレイ３３６Ａを有する。第１レンズミラーアレイ３３２Ａ、絞り部３３４および第２レンズミラーアレイ３３６Ａは、一体化されている。
【００７９】
光学素子３３０Ａにおいては、第１レンズミラーアレイ３３２Ａは、第２レンズミラーアレイ３３６Ａよりも上方に位置する。
【００８０】
第１レンズミラーアレイ３３２Ａは、主方向に対応する方向に沿って並んで配置された複数のレンズミラー部３３３ａ，３３３ｂを有する。複数のレンズミラー部３３３ａ，３３３ｂは、主方向に沿って並ぶ複数の受光素子４１の数に応じて区画されている。複数のレンズミラー部３３３ａ，３３３ｂは、入射された光を縮小しならが反射する。これにより、第１レンズミラーアレイ３３２に入射された光は、主方向に対応する方向に沿って分割される。
【００８１】
複数のレンズミラー部３３３ａ，３３３ｂは、主方向に対応する方向に沿って交互に並んで配置されている。複数のレンズミラー部３３３ａ，３３３ｂは、原稿２から反射された光が受光部４０に向かう光路において、光の進行方向に対して凹凸状に配置されている。
【００８２】
これにより、複数のレンズミラー部３３３ａに入射する光と、複数のレンズミラー部３３３ｂに入射する光とにおいて光路差が発生し、この結果、第１レンズミラーアレイ３３２Ａは、原稿２から反射された光を副方向に対応する方向に複数列に配光する。
【００８３】
このように、第１レンズミラーアレイ３３２Ａは、原稿２から反射された光を主方向に対応する方向に分割する分割部品として機能するとともに、原稿２から反射された光を副方向に対応する方向に配光する配光部品として機能する。
【００８４】
絞り部３３４は、原稿２から反射された光が受光部４０に向かう光路において、第１レンズミラーアレイ３３２Ａと第２レンズミラーアレイ３３６Ａとの間に配置されている。
【００８５】
絞り部３３４は、複数の開口部３３５を有する。複数の開口部３３５は、主方向に対応する方向に沿って並んで配置されている。複数の開口部３３５は、複数のレンズミラー部３３３ａ，３３３ｂの個数に応じて設けられている。複数の開口部３３５は、通過する光を絞る。複数の開口部３３５の各々は、主方向に対応する方向および副方向に対応する方向の双方向において光を絞る。
【００８６】
第２レンズミラーアレイ３３６Ａも第１レンズミラーアレイ３３２Ａとほぼ同様に構成されている。第２レンズミラーアレイ３３６Ａは、主方向に対応する方向に沿って並んで配置された複数のレンズミラー部３３７ａ，３３７ｂを有する。
【００８７】
複数のレンズミラー部３３７ａ，３３７ｂは、主方向に対応する方向に沿って交互に並んで配置されている。複数のレンズミラー部３３７ａ，３３７ｂは、原稿２から反射された光が受光部４０に向かう光路において、光の進行方向に対して凹凸状に配置されている。
【００８８】
複数のレンズミラー部３３７ａの各々は、第１レンズミラーアレイ３３２Ａにおける複数のレンズミラー部３３３ａの各々に対応するように設けられている。複数のレンズミラー部３３７ｂの各々は、第１レンズミラーアレイ３３２Ａにおける複数のレンズミラー部３３３ｂの各々に対応するように設けられている。
【００８９】
再び図５に示すように、光学系３０Ａにおいては、原稿２から反射された光は、反射ミラー３１０によって第１レンズミラーアレイ３３２Ａに向けて反射される。第１レンズミラーアレイ３３２Ａによって主方向に対応する方向に分割されるとともに、副方向に対応する方向に配光された光の各々は、反射ミラー３２０の反射面によって反射ミラー３４０に向けて反射される。
【００９０】
この際、第１レンズミラーアレイ３３２Ａのレンズミラー部３３３ａによって反射された光と、レンズミラー部３３３ｂによって反射された光とは、光路長が異なるため、反射ミラー３２０における反射位置はそれぞれ異なる。
【００９１】
この場合であっても、主方向に対応する方向に直交する反射ミラー３２０の反射面の断面形状が、主方向に対応する方向に分割された光の各々に跨るように、主方向に対応する方向に沿って同一形状を有することにより、第１レンズミラーアレイ３３２Ａによって主方向に対応する方向に分割されるとともに、副方向に対応する方向に配光された光の各々に対して反射という共通した光学作用を生じさせることができる。
【００９２】
反射ミラー３４０に入射した光は、反射ミラー３４０によって第２レンズミラーアレイ３３６Ａに向けて反射される。反射ミラー３４０も反射ミラー３２０同様に、主方向に対応する方向に沿って同一形状を有することにより、第１レンズミラーアレイ３３２Ａによって主方向に対応する方向に分割されるとともに、副方向に対応する方向に配光された光の各々に対して反射という共通した光学作用を生じさせる。
【００９３】
反射ミラー３４０によって反射された光は、第２レンズミラーアレイ３３６Ａによって複数の受光素子４１の各々に導入される。
【００９４】
この際、第２レンズミラーアレイ３３６Ａにおける複数のレンズミラー部３３７ａの各々は、複数のレンズミラー部３３３ａの各々によって反射された光を縮径しながら反射して、第１列に配置された複数の受光素子４１に導入する。
【００９５】
第２レンズミラーアレイ３３６Ａにおける複数のレンズミラー部３３７ｂの各々は、複数のレンズミラー部３３３ｂの各々によって反射された光を縮径しながら反射して、第２列に配置された複数の受光素子４１に導入する。
【００９６】
以上のように構成される場合であっても、分割部品として機能する第１レンズミラーアレイ３３２Ａの下流側に配置された反射ミラー３２０，３４０の反射面の上記断面形状が、主方向に対応する方向に沿って同一形状を有することにより、第１レンズミラーアレイ３３２Ａによって分割された光の各々に対して反射という共通した光学作用を生じさせることができる。
【００９７】
これにより、実施の形態２に係る画像読取装置１０Ａにあっても、実施の形態１に係る画像読取装置１０とほぼ同様の効果が得られる。
【００９８】
加えて、実施の形態２に係る画像読取装置１０Ａにおいては、光学系３０Ａが、原稿２から反射された光を副方向に対応する方向に複数列に配光し、複数列に配光された光の光路長が互いに異なるように構成されている。これにより、分割された光の各々を平行とすることができる。このため、副方向に対応する方向における第１列に配置された受光素子４１および第２列に配置された受光素子４１に対して、複数列に配光された光を垂直に入射することができる。
【００９９】
この結果、受光素子４１に対する射入射の感度を考慮する必要がなくなる。また、分割された光の各々が平行であるため、受光素子４１を入射方向に対して垂直方向に移動させた場合であっても、２つに分割された光の距離が変わることもなくなる。
【０１００】
（実施の形態３）
図７は、実施の形態３に係る画像読取装置の概略断面図である。図７を参照して、実施の形態３に係る画像読取装置１０Ｂについて説明する。
【０１０１】
図７に示すように、実施の形態３に係る画像読取装置１０Ｂは、実施の形態１に係る画像読取装置１０と比較した場合に、光学系３０Ｂの構成が相違する。その他の構成については、ほぼ同様である。
【０１０２】
光学系３０Ｂは、反射ミラー３５０，３６０，３７０、レンズミラーアレイ３３２Ｂ、およびレンズミラーアレイ３３６Ｂを含む。
【０１０３】
反射ミラー３５０は、共有反射ミラーに相当する。反射ミラー３５０は、互いに相対する上流側反射面３５０ａおよび下流側反射面３５０ｂを有する。上流側反射面３５０ａは、原稿２から反射された光が受光部４０に向かう光路において、分割部品としてのレンズミラーアレイ３３２Ｂの上流側に配置されている。下流側反射面３５０ｂは、上記光路においてレンズミラーアレイ３３２Ｂの下流側に配置されている。
【０１０４】
レンズミラーアレイ３３２Ｂは、主方向に対応する方向に沿って並んで配置された複数のレンズミラー部３３３ａ，３３３ｂを含む。複数のレンズミラー部３３３ａおよび複数のレンズミラー部３３３ｂは、主方向に対応する方向に沿って交互に並んで配置されている。複数のレンズミラー部３３３ａ，３３３ｂは、主方向に沿って並ぶ複数の受光素子４１の数に応じて区画されている。複数のレンズミラー部３３３ａ，３３３ｂは、入射された光を縮小しならが反射する。これにより、レンズミラーアレイ３３２Ｂに入射された光は、主方向に対応する方向に沿って分割される。
【０１０５】
レンズミラー部３３３ａが有する湾曲反射面の俯仰角は、レンズミラー部３３３ｂが有する湾曲反射面の俯仰角と、副方向に対応する方向において異なる。これにより、レンズミラーアレイ３３２Ｂに入射された光は、光を副方向に対応する方向に配光される。
【０１０６】
このように、レンズミラーアレイ３３２Ｂは、原稿２から反射された光を主方向に対応する方向に分割する分割部品として機能するとともに、原稿２から反射された光を副方向に対応する方向に配光する配光部品として機能する。
【０１０７】
複数のレンズミラー部３３３ａ，３３３ｂの各々湾曲反射面は、原稿２から反射された光が受光部４０に向かう光路において、レンズミラーアレイ３３２Ｂに次いで配置された反射ミラー３６０，３７０を向く。
【０１０８】
反射ミラー３６０は、レンズミラーアレイ３３２Ｂによって分割された光を絞る。反射ミラー３６０には、たとえば開口部を有する遮蔽部３６１が設けられている。遮蔽部３６１は、シール状の遮光部材であってもよい。なお、反射ミラー３６０としては、光を吸収する部材の必要領域にのみ反射面を形成したものを用いてもよい。
【０１０９】
反射ミラー３７０は、レンズミラーアレイ３３２Ｂによって分割された光を絞る。反射ミラー３７０には、たとえば開口部を有する遮蔽部３７１が設けられている。遮蔽部３７１は、シール状の遮光部材であってもよい。なお、反射ミラー３７０としては、光を吸収する部材の必要領域にのみ反射面を形成したものを用いてもよい。
【０１１０】
反射ミラー３５０の下流側反射面３５０ｂは、平坦に構成されている。主方向に対応する方向に直交する下流側反射面３５０ｂの断面形状は、主方向に沿って同一形状を有する。下流側反射面３５０ｂは、レンズミラーアレイ３３２Ｂによって分割された光の各々に対して共通した作用を生じさせる光学作用面として機能する。
【０１１１】
反射ミラー３５０は、第１作用面３５０ｂ１および第２作用面３５０ｂ２を有する。第１作用面３５０ｂ１および第２作用面３５０ｂ２は、下流側反射面３５０ｂ上に設けられている。第１作用面３５０ｂ１および第２作用面は、原稿２から反射された光が受光部４０に向かう光の光路において、順に配置される。第１作用面３５０ｂ１は、上記光路において第２作用面３５０ｂ２よりも上流側に位置する。第１作用面３５０ｂ１および第２作用面３５０ｂ２は、下流側反射面３５０ｂの一部であり、光学作用面として機能する。
【０１１２】
レンズミラーアレイ３３６Ｂは、主方向に対応する方向に沿って並んで配置された複数のレンズミラー部３３７ａ，３３７ｂを含む。複数のレンズミラー部３３７ａ，３３７ｂは、副方向に対応する方向に２列に並んで配置されている。副方向に対応する方向における第１列目に複数のレンズミラー部３３７ａが配置されている。副方向に対応する方向における第２列目に複数のレンズミラー部３３７ｂが配置されている。複数のレンズミラー部３３３ａ，３３３ｂは、入射された光を縮小しならが反射する。
【０１１３】
実施の形態３に係る光学系３０Ｂにおいては、原稿２から反射された光は、上流側反射面３５０ａによってレンズミラーアレイ３３２Ｂに向けて反射される。原稿２から反射された光は、レンズミラーアレイ３３２Ｂによって主方向に対応する方向に分割されるとともに、副方向に対応する方向に配光される。
【０１１４】
具体的には、原稿２から反射された光の一部は、複数のレンズミラー部３３３ａによって反射ミラー３６０に向けて反射される。原稿２から反射された光の他の部分は、複数のレンズミラー部３３３ｂによって、反射ミラー３７０に向けて反射される。
【０１１５】
反射ミラー３６０に入射した光は、遮蔽部３６１によって絞られて下流側反射面３５０ｂの第１作用面３５０ｂ１に向けて反射される。反射ミラー３７０に入射した光は、遮蔽部３７１によって絞られて下流側反射面３５０ｂの第１作用面３５０ｂ１に向けて反射される。
【０１１６】
第１作用面３５０ｂ１は、レンズミラーアレイ３３２Ｂによって分割されて反射ミラー３６０および反射ミラー３７０から反射された光の各々に跨るように設けられている。これにより、第１作用面３５０ｂ１は、反射ミラー３６０および反射ミラー３７０から反射された光をレンズミラーアレイ３３６Ｂに向けて反射する。
【０１１７】
具体的には、第１作用面３５０ｂ１は、反射ミラー３６０から反射された光を複数のレンズミラー部３３７ａに向けて反射し、反射ミラー３７０から反射された光を複数のレンズミラー部３３７ｂに向けて反射する。
【０１１８】
レンズミラーアレイ３３６Ｂは、第１作用面３５０ｂ１から反射された光を第２作用面３５０ｂ２に向けて反射する。具体的には、複数のレンズミラー部３３７ａは、第１作用面３５０ｂ１から反射された光を第２作用面３５０ｂ２に向けて反射し、複数のレンズミラー部３３７ｂは、第１作用面３５０ｂ１から反射された光を第２作用面３５０ｂ２に向けて反射する。
【０１１９】
第２作用面３５０ｂ２は、複数のレンズミラー部３３７ａおよび複数のレンズミラー部３３７ｂから反射された光の各々に跨るように設けられている。これにより、第２作用面３５０ｂ２は、複数のレンズミラー部３３７ａおよび複数のレンズミラー部３３７ｂから反射された光を複数の受光素子４１に向けて反射する。
【０１２０】
以上のように構成される場合であっても、分割部品として機能するレンズミラーアレイ３３２Ｂの下流側に配置された反射ミラー３５０の下流側反射面３５０ｂの上記断面形状が、主方向に対応する方向に沿って同一形状を有することにより、レンズミラーアレイ３３２Ｂによって分割された光の各々に対して反射という共通した光学作用を生じさせることができる。
【０１２１】
これにより、実施の形態３に係る画像読取装置１０Ｂにあっても、実施の形態１に係る画像読取装置１０とほぼ同様の効果が得られる。
【０１２２】
加えて、反射ミラー３５０の両面を反射面として使用することにより、反射ミラー３５０の片面のみを反射面として使用する場合と比較して、反射ミラーの枚数を削減することができる。
【０１２３】
さらに、第１作用面３５０ｂ１および第２作用面３５０ｂ２を下流側反射面３５０ｂに設けて、下流側反射面３５０ｂにて２回反射させる構成とすることにより、反射ミラーの枚数を削減することができる。
【０１２４】
（実施の形態４）
図８は、実施の形態４に係る画像読取装置の概略断面図である。図８を参照して、実施の形態４に係る画像読取装置１０Ｃについて説明する。
【０１２５】
図８に示すように、実施の形態４に係る画像読取装置１０Ｃは、実施の形態１に係る画像読取装置１０と比較した場合に、光学系３０Ｃの構成が相違する。その他の構成については、ほぼ同様である。
【０１２６】
光学系３０Ｃは、原稿２から反射された光が分割部品としてのレンズミラーアレイ３３２Ｃによって分割された後に、下流側反射ミラーとしての反射ミラー３５０Ｃに入射されるように構成されている。また、光学系３０Ｃは、反射ミラー３５０Ｃの下流側反射面３５０ｂを３回使用して、原稿２から反射された光を複数の受光素子４１に導入するように構成されている。
【０１２７】
光学系３０Ｃは、反射ミラー３５０Ｃ，３６０Ｃ，レンズミラーアレイ３３２Ｃ、およびレンズミラーアレイ３３６Ｃを含む。
【０１２８】
反射ミラー３５０Ｃは、共有反射ミラーに相当する。反射ミラー３５０Ｃは、下流側反射面３５０ｂを有する。下流側反射面３５０ｂは、原稿２から反射された光が受光部４０に向かう光路において、分割部品としてのレンズミラーアレイ３３２Ｂの下流側に配置されている。
【０１２９】
下流側反射面３５０ｂは、平坦に構成されている。下流側反射面３５０ｂの断面形状は、主方向に沿って同一形状を有する。下流側反射面３５０ｂは、レンズミラーアレイ３３２Ｃによって分割された光の各々に対して共通した作用を生じさせる光学作用面として機能する。
【０１３０】
反射ミラー３５０Ｃは、第１作用面３５０ｂ１、第２作用面３５０ｂ２および第３作用面３５０ｂ３を有する。第１作用面３５０ｂ１、第２作用面３５０ｂ２および第３作用面３５０ｂ３は、下流側反射面３５０ｂ上に設けられている。第１作用面３５０ｂ１、第２作用面３５０ｂ２および第３作用面３５０ｂ３は、原稿２から反射された光が受光部４０に向かう光の光路において、順に配置される。
【０１３１】
第１作用面３５０ｂ１は、上記光路において第２作用面３５０ｂ２よりも上流側に位置する。第２作用面３５０ｂ２は、上記光路において第３作用面３５０ｂ３よりも上流側に位置する。第１作用面３５０ｂ１、第２作用面３５０ｂ２および第３作用面３５０ｂ３は、下流側反射面３５０ｂの一部であり、光学作用面として機能する。
【０１３２】
レンズミラーアレイ３３２Ｃは、主方向に対応する方向に沿って並んで配置された複数のレンズミラー部３３３ａ，３３３ｂを含む。複数のレンズミラー部３３３ａおよび複数のレンズミラー部３３３ｂは、主方向に対応する方向に沿って交互に並んで配置されている。複数のレンズミラー部３３３ａ，３３３ｂは、入射された光を縮小しならが反射する。これにより、レンズミラーアレイ３３２Ｃに入射された光は、主方向に対応する方向に沿って分割される。
【０１３３】
また、レンズミラー部３３３ａが有する湾曲反射面の俯仰角は、レンズミラー部３３３ｂが有する湾曲反射面の俯仰角と、副方向に対応する方向において異なる。これにより、レンズミラーアレイ３３２Ｃに入射された光は、光を副方向に対応する方向に配光される。
【０１３４】
このように、レンズミラーアレイ３３２Ｃは、原稿２から反射された光を主方向に対応する方向に分割する分割部品として機能するとともに、原稿２から反射された光を副方向に対応する方向に配光する配光部品として機能する。
【０１３５】
レンズミラーアレイ３３６Ｃも主方向に対応する方向に沿って並んで配置された複数のレンズミラー部３３７ａ，３３７ｂを含み、レンズミラーアレイ３３２Ｃとほぼ同様に構成されている。これにより、レンズミラーアレイ３３２Ｃによって主方向に対応する方向に沿って分割されるとともに、副方向に対応する方向に配光された光の各々を縮径しながら反射させることができる。
【０１３６】
レンズミラーアレイ３３２Ｃおよびレンズミラーアレイ３３６Ｃは、副方向において互いに近い位置に配置されている。これにより、レンズミラーアレイ３３２Ｃおよびレンズミラーアレイ３３６Ｃを一体化することができる。レンズミラーアレイ３３２Ｃおよびレンズミラーアレイ３３６Ｃを一体化して構成する場合には、１部品として成形することができる。また、製造時において、蒸着処理を１回行なうことにより、各レンズミラーの反射面を形成することができる。
【０１３７】
反射ミラー３６０Ｃは、レンズミラーアレイ３３２Ｃによって分割された光を絞る。反射ミラー３６０Ｃには、たとえば開口部を有する遮蔽部３６１が設けられている。遮蔽部３６１は、シール状の遮光部材であってもよい。なお、反射ミラー３６０Ｃとしては、光を吸収する部材の必要領域にのみ反射面を形成したものを用いてもよい。
【０１３８】
主方向に直交する反射ミラー３６０Ｃの反射面の断面形状は、主方向に沿って同一形状を有する。反射ミラー３６０Ｃの反射面は、レンズミラーアレイ３３２Ｃによって分割された光の各々に対して共通した作用を生じさせる光学作用面として機能する。
【０１３９】
実施の形態４に係る光学系３０Ｃにおいては、原稿２から反射された光は、直接、レンズミラーアレイ３３２Ｃに入射して、レンズミラーアレイ３３２Ｃによって主方向に対応する方向に分割されるとともに、副方向に対応する方向に配光される。
【０１４０】
具体的には、原稿２から反射された光の一部は、複数のレンズミラー部３３３ａによって反射ミラー３５０Ｃの第１作用面３５０ｂ１に向けて反射される。原稿２から反射された光の他の部分は、複数のレンズミラー部３３３ｂによって、反射ミラー３５０Ｃの第１作用面３５０ｂ１に向けて反射される。
【０１４１】
第１作用面３５０ｂ１は、レンズミラーアレイ３３２Ｃによって分割されかつ配光された光の各々に跨るように設けられている。これにより、第１作用面３５０ｂ１は、レンズミラーアレイ３３２Ｃによって分割されかつ配光された光の各々を、共通の作用として反射ミラー３６０Ｃに向けて反射させる。
【０１４２】
反射ミラー３６０Ｃに入射した光は、遮蔽部３６１によって絞られて反射ミラー３５０Ｃの第２作用面３５０ｂ２に向けて反射される。この際、反射ミラー３６０Ｃの反射面は、レンズミラーアレイ３３２Ｃによって分割されかつ配光された光の各々を、共通の作用として第２作用面３５０ｂ２に向けて反射する。
【０１４３】
第２作用面３５０ｂ２は、反射ミラー３６０Ｃから反射された光の各々に跨るように設けられている。これにより、第２作用面３５０ｂ２は、レンズミラーアレイ３３２Ｃによって分割されかつ配光された光の各々を、共通の作用として共通の作用としてレンズミラーアレイ３３６Ｃに向けて反射する。
【０１４４】
具体的には、第２作用面３５０ｂ２は、複数のレンズミラー部３３３ａから反射された光を複数のレンズミラー部３３７ａに向けて反射し、複数のレンズミラー部３３３ｂから反射された光を複数のレンズミラー部３３７ｂに向けて反射する。
【０１４５】
レンズミラーアレイ３３６Ｃは、第２作用面３５０ｂ２から反射された光を第３作用面３５０ｂ３に向けて反射する。具体的には、複数のレンズミラー部３３７ａは、第２作用面３５０ｂ２から反射された光を第３作用面３５０ｂ３に向けて反射し、複数のレンズミラー部３３７ｂは、第２作用面３５０ｂ２から反射された光を第３作用面３５０ｂ３に向けて反射する。
【０１４６】
第３作用面３５０ｂ３は、複数のレンズミラー部３３７ａおよび複数のレンズミラー部３３７ｂから反射された光の各々に跨るように設けられている。これにより、第３作用面３５０ｂ３は、複数のレンズミラー部３３７ａおよび複数のレンズミラー部３３７ｂから反射された光を複数の受光素子４１に向けて反射する。
【０１４７】
以上のように構成される場合であっても、分割部品として機能するレンズミラーアレイ３３２Ｃの下流側に配置された反射ミラー３５０の下流側反射面３５０ｂの上記断面形状および反射ミラー３６０Ｃの上記断面形状が、それぞれ主方向に対応する方向に沿って同一形状を有することにより、レンズミラーアレイ３３２Ｃによって分割された光の各々に対して反射という共通した光学作用を生じさせることができる。
【０１４８】
これにより、実施の形態４に係る画像読取装置１０Ｃにあっても、実施の形態１に係る画像読取装置１０とほぼ同様の効果が得られる。
【０１４９】
さらに、第１作用面３５０ｂ１、第２作用面３５０ｂ２および第３作用面３５０ｂ３を下流側反射面３５０ｂに設けて、下流側反射面３５０ｂにて３回反射させる構成とすることにより、反射ミラーの枚数を削減することができる。
【０１５０】
（実施の形態５）
図９は、実施の形態５に係る画像読取装置の概略断面図である。図９を参照して、実施の形態５に係る画像読取装置１０Ｄについて説明する。
【０１５１】
図９に示すように、実施の形態５に係る画像読取装置１０Ｄは、実施の形態１に係る画像読取装置１０と比較した場合に、光学系３０Ｄの構成が相違する。その他の構成については、ほぼ同様である。
【０１５２】
光学系３０Ｄは、反射ミラー３８１Ａ，３８１Ｂ，３８３Ａ，３８３Ｂ、３８７Ａ，３８７Ｂ、絞り部３８４Ａ，３８４Ｂおよび、透過レンズ３８２Ａ，３８２Ｂ，３８６Ａ，３８６Ｂを含む。
【０１５３】
反射ミラー３８１Ａ，３８１Ｂは、主方向に沿って交互に並んで配置されている。反射ミラー３８１Ａ，３８１Ｂは、反射面が互いに反対方向に向いている。反射ミラー３８１Ａ，３８１Ｂは、原稿２から反射された光を主方向に対応する方向に分割する分割部品に相当する。
【０１５４】
反射ミラー３８３Ａ，３８３Ｂは、反射面が互いに対向するように配置されている。反射ミラー３８３Ａ，３８３Ｂの間には、反射ミラー３８１Ａ，３８１Ｂ，３８７Ａ，３８７Ｂ、絞り部３８４Ａ，３８４Ｂおよび、透過レンズ３８２Ａ，３８２Ｂ，３８６Ａ，３８６Ｂが配置されている。
【０１５５】
反射ミラー３８３Ａ，３８３Ｂは、原稿２から反射された光が受光部４０に向かう光路において、反射ミラー３８１Ａ，３８１Ｂの下流側に配置されている。反射ミラー３８３Ａ，３８３Ｂの反射面は、上記光路において分割部品としての反射ミラー３８１Ａ，３８１の下流側に配置された共有部に相当し、反射ミラー３８１Ａ，３８１によって分割された光の各々に対して共通の作用を生じさせる光学作用面として機能する。反射ミラー３８３Ａ，３８３Ｂの反射面は、平坦に構成されている。主方向に対応する方向に直交する反射ミラー３８３Ａ，３８３Ｂの反射面の断面形状は、主方向に対応する方向に沿って同一形状を有する。
【０１５６】
原稿２から反射された光は、反射ミラー３８１Ａ，３８１Ｂによって主方向に対応する方向に分割される。
【０１５７】
反射ミラー３８１Ａによって反射された光は、透過レンズ３８２Ａを透過して、反射ミラー３８３Ａによって反射ミラー３８３Ｂに向けて反射される。反射ミラー３８３Ｂに向けて反射された光は、絞り部３８４Ａに設けられた開口部３８５Ａを通過して透過レンズ３８６Ａを透過した後に反射ミラー３８３Ｂに入射する。反射ミラー３８３Ｂに入射した光は、反射ミラー３８７Ａに向けて反射され、反射ミラー３８７Ａによって受光素子４１に向けて反射される。
【０１５８】
反射ミラー３８１Ｂによって反射された光は、透過レンズ３８２Ｂを透過して、反射ミラー３８３Ｂによって反射ミラー３８３Ａに向けて反射される。反射ミラー３８３Ａに向けて反射された光は、絞り部３８４Ｂに設けられた開口部３８５Ｂを通過して透過レンズ３８６Ｂを透過した後に反射ミラー３８３Ａに入射する。反射ミラー３８３Ａに入射した光は、反射ミラー３８７Ｂに向けて反射され、反射ミラー３８７Ｂによって受光素子４１に向けて反射される。
【０１５９】
以上のように構成される場合であっても、分割部品として機能する反射ミラー３８１Ａ，３８１Ｂの下流側に配置された反射ミラー３８３Ａ，３８３Ｂは、それぞれ反射ミラー３８１Ａ，３８１Ｂによって分割された光の各々に跨るように副方向に対応する方向に延在する。また、反射ミラー３８３Ａ，３８３Ｂの反射面の断面形状は、主方向に対応する方向に沿って同一形状を有する。
【０１６０】
これにより、反射ミラー３８３Ａ，３８３Ｂの反射面は、反射ミラー３８１Ａ，３８１Ｂによって分割された光の各々に対して反射という共通した光学作用を生じさせることができる。
【０１６１】
これにより、実施の形態５においても、反射ミラー３８１Ａ，３８１Ｂによって分割された光をそれぞれ独立した反射ミラーによって反射させるように、反射ミラー３８３Ａ，３８３Ｂが上下方向に分割した構成と比較して、光学系３０Ｄを構成する光学部品が増加することを抑制することができる。
【０１６２】
光学部品の増加を抑制することにより、分割された光の各々に対してそれぞれ対応するように複数の反射ミラーを設けて調整する場合と比較して設置角のバラツキ等を抑制することができ、この結果、結像性能を向上させることもできる。
【０１６３】
（変形例１）
図１０は、変形例１に係るレンズミラーの概略断面図である。図１０を参照して、レンズミラー３９０について説明する。
【０１６４】
図１０に示すように、変形例１に係るレンズミラー３９０は、副方向に対応する方向にパワーを有するように構成されている。具体的には、レンズミラー３９０において、主方向に対応する方向に直交する湾曲反射面３９０ａの断面形状は、主方向に沿って同一形状を有している。この場合には、レンズミラー３９０は、原稿２から反射された光を副方向に対応する方向に配光する配光部品に相当する。
【０１６５】
変形例１に係るレンズミラー３９０を実施の形態１に係る第２レンズミラーアレイ３３６に代えて実施の形態１に適用した場合には、第１レンズミラーアレイ３３２によって主方向に分割された光の各々に対して、副方向に対応する方向に光を配光するという共通の作用を生じさせることができる。このため、レンズミラー３９０の湾曲反射面３９０ａも光学作用面に相当する。
【０１６６】
このようなレンズミラー３９０を用いる場合には、複数のレンズミラー部を形成する必要がなくなり、単一の湾曲反射面３９０ａするため精度のバラツキを抑制することができる。
【０１６７】
（変形例２）
図１１は、変形例２に係る絞り部の正面図である。図１１を参照して、変形例２に係る絞り部３３４Ｆについて説明する。
【０１６８】
図１１に示すように、変形例２に係る絞り部３３４Ｆにあっては、実施の形態１に係る絞り部３３４と比較して、開口部３３５Ｆが主方向に対応する方向に沿って連続している点において相違する。
【０１６９】
主方向に対応する方向に直交する開口部３３５Ｆの断面形状は、主方向に対応する方向に沿って同一形状である。これにより、変形例２に係る絞り部３３４Ｆを実施の形態１に適用した場合には、第１レンズミラーアレイ３３２によって主方向に分割された光の各々に対して、副方向に対応する方向に光を絞るという共通の作用を生じさせることができる。このため、開口部３３５Ｆの開口面も光学作用面に相当する。
【０１７０】
このような絞り部３３４Ｆを各実施の形態において採用した場合には、分割された光の各々に対応する位置に開口部を設ける構成と比較して、絞り部の構成を簡素化することができる。
【０１７１】
以上、今回発明された実施の形態はすべての点で例示であって制限的なものではない。本発明の範囲は特許請求の範囲によって示され、特許請求の範囲と均等の意味および範囲内でのすべての変更が含まれる。
【符号の説明】
【０１７２】
１  プラテンガラス、２  原稿、１０，１０Ａ，１０Ｂ，１０Ｃ，１０Ｄ  画像読取装置、２０  光源、３０，３０Ａ，３０Ｂ，３０Ｃ，３０Ｄ  光学系、４０  受光部、４１  受光素子、４２  回路基板、６０  筐体、３１０，３２０  反射ミラー、３３０，３３０Ａ  光学素子、３３１  基板、３３１ａ  第１面、３３１ｂ  第２面、３３２，３３２Ａ  第１レンズミラーアレイ、３３２Ｂ，３３２Ｃ  レンズミラーアレイ、３３３，３３３ａ，３３３ｂ  レンズミラー部、３３４，３３４Ｆ  絞り部、３３５，３３５Ｆ  開口部、３３６，３３６Ａ  第２レンズミラーアレイ、３３６Ｂ，３３６Ｃ  レンズミラーアレイ、３３７ａ，３３７ｂ  レンズミラー部、３４０，３５０  反射ミラー、３５０ａ  上流側反射面、３５０ｂ  下流側反射面、３５０ｂ１  第１作用面、３５０ｂ２  第２作用面、３５０ｂ３  第３作用面、３６０，３６０Ｃ  反射ミラー、３６１  遮蔽部、３７０  反射ミラー、３７１  遮蔽部、３８１，３８１Ａ，３８１Ｂ  反射ミラー、３８２Ａ，３８２Ｂ  透過レンズ、３８３Ａ，３８３Ｂ  反射ミラー、３８４Ａ，３８４Ｂ  絞り部３８５Ａ，３８５Ｂ  開口部３８６Ａ，３８６Ｂ  透過レンズ、３８７Ａ，３８７Ｂ  反射ミラー、３９０  レンズミラー、３９０ａ  湾曲反射面。
【図１】
2018152713.tif 000003
【図２】
2018152713.tif 000004
【図３】
2018152713.tif 000005
【図４】
2018152713.tif 000006
【図５】
2018152713.tif 000007
【図６】
2018152713.tif 000008
【図７】
2018152713.tif 000009
【図８】
2018152713.tif 000010
【図９】
2018152713.tif 000011
【図１０】
2018152713.tif 000012
【図１１】
2018152713.tif 000013